(57)【要約】【課題】  耳に傷みを生じたり外耳道を傷つけたりするような問題を生ぜず、耳垢を箆で掻き出す作業と綿毛で整える作業とを一度に行えて効率的な、耳穴の手入れ用具を提供する。【解決手段】  持ち手と、その先端部分に設けられた粘着性ヘッドと、から成る耳穴の手入れ用具とした。持ち手を指で摘んで粘着性ヘッド部分を耳穴に入れて引き出すようにすると、ヘッドの粘着性で耳垢の大きいものから極く小さなものまで一気に除去することが出来る。この際に箆で掻き出すこともなければ綿毛で整えることも不要なので、耳に傷みを生じたり外耳道を傷つけたりすることもなく効率的に手入れを行なうことが出来る。【選択図】図１
2011036605.tif 000002
【特許請求の範囲】
【請求項１】
持ち手と、その先端部分に設けられた粘着性ヘッドと、から成ることを特徴とする耳穴の手入れ用具。
【請求項２】
前記粘着性ヘッドに表面積を増やすための切り込み部が形成されている、請求項１に記載の耳穴の手入れ用具。
【請求項３】
前記粘着性ヘッドに逆止突起が形成されている、請求項１に記載の耳穴の手入れ用具。
【請求項４】
前記持ち手の前記粘着性ヘッドとは反対側の端部に、外耳道を掻くための杓子状部を備えている、請求項１に記載の耳穴の手入れ用具。
【発明の詳細な説明】
【技術分野】
【０００１】  この発明は、先端部分に耳かすを付着させて取り去るための粘着性のヘッドを備えた耳穴の手入れ用具に関するものである。
【背景技術】
【０００２】  従来、耳穴を手入れする目的の道具としては、金属や合成樹脂や竹等の木材や象牙などを素材として細い棒状の柄の先端部分に箆を備えると共に、後端部分に綿毛を備えたものが一般的である。箆で耳垢を掻き出し、最後に綿毛で整えるようにする。またこの他にも、特開平０６−１１３９７８号の「耳掻き具」や特開２００６−１９２０５５号の「耳鼻穴手入れ具」などがある。【０００３】  特開平０６−１１３９７８号は細長棒状の柄の両端に、その柄の全周面に沿ってフランジ状部分を形成し、そのフランジ状部分を耳掻き部としたものであり、この耳掻き部の外周縁の全てを使用して耳掻きを行うことが出来ると言うものである。また耳掻き部の近傍に於いて柄に、外周径が耳掻き部の外周径よりも若干小さな膨出部を形成すると、耳掻き部をどのような向きにして使用しても耳掻き部の外周縁を耳内の所望の部位に摺接させることが出来るし、耳掻き部の外周縁が耳の内周面に大きく食い込むのが阻止されるため耳を傷める虞がないと言うものである。【０００４】  特開２００６−１９２０５５号は、端部に触体を持つ一対の手入杆体を結合部材にそれぞれ回動自在に並列配置して成り、手入杆体を親指と人差指とで摘み、この摘み状態で親指と人差指と異方向に擦動させることにより手入杆体はそれぞれ同方向に回動し、また逆の異方向に擦動させることによって手入杆体はそれぞれ逆の同方向に回動し、この際に前記触体を耳穴やその近傍に接触させることによって、耳垢等を安全に心地良く取り除くことが出来ると言うものである。
【特許文献１】特開平０６−１１３９７８号公報
【特許文献２】特開２００６−１９２０５５号公報
【発明の開示】
【発明が解決しようとする課題】
【０００５】  しかしながら従来のものは、耳垢を箆で掻き出す作業と綿毛で整える作業との２種類の作業を行わなくてはならない。また箆が金属や合成樹脂や竹等の木材を固い素材から成るものであるため、耳掻の力加減を誤ると傷みを生じたり外耳道を傷つけたりすると言う問題がある。特開平０６−１１３９７８号のフランジ部も固い素材から成るものであるために同様の問題点を有している。これに対して特開２００６−１９２０５５号は触体が綿棒のように柔らかいものであるため、上述したような問題はないものの、構造が複雑でコスト高となる上、操作が難しいという欠点がある。【０００６】  この発明は上述したような問題を解決して、耳に傷みを生じたり外耳道を傷つけたりするような問題を生ぜず、耳垢を箆で掻き出す作業と綿毛で整える作業とを一度に行えて効率的な、耳穴の手入れ用具を提供することを課題とする。
【課題を解決するための手段】
【０００７】  上記課題は、持ち手と、その先端部分に設けられた粘着性ヘッドと、から成ることを特徴とする耳穴の手入れ用具とすることにより達成される。持ち手を指で摘んで粘着性ヘッド部分を耳穴に入れて引き出すようにすると、ヘッドの粘着性で耳垢の大きいものから極く小さなものまで一気に除去することが出来る。この際に箆で掻き出すこともなければ綿毛で整えることも不要なので、耳に傷みを生じたり外耳道を傷つけたりすることなく、効率的に耳穴の手入れを行なうことが出来る。なお前記粘着性ヘッドの構成は自由であり、耳穴に入る大きさに圧縮した綿の玉の表面に粘着剤を塗布して成るものや、皮膚に無害な粘着性のシリコン樹脂を耳穴に入る大きさに形成したものを自由に用いることが出来る。また前記持ち手には腰のしっかりしたものを用いたり、例えば粘着性シリコン樹脂ヘッドの場合に同一素材で粘着性ヘッドと一体に形成した柔軟なものなどとすることが出来る。なお前記粘着性シリコン樹脂ヘッドの場合には、これに付着した耳垢を水で洗い流すことが可能なものであるため何度でも繰り返して使用し得る。【０００８】  次に、前記粘着性ヘッドに表面積を増やすための切り込み部が形成されているものとすることが出来る。この切り込み部の存在により粘着性ヘッドの表面積が増加して、一度により多くの耳垢を粘着させることが可能になる。この切り込み部は表面からほぼ垂直に切り込んだものとしたり、粘着性ヘッドを耳穴に挿入した際に耳穴の口（外側）に向けて言わば逆止突起が形成されるように切り込んだものとすることが出来る。なお切り込み部に捕捉された耳垢は水で洗い流すことが可能である。なおオイルを用いてソフトに耳穴の手入れをしたいとする要望に対しては、オイルがこの切り込み部に入り込んで保持されたり長持ちすると言うような副次的な作用を有する。【０００９】  次に、前記粘着性ヘッドの表面に逆止突起を形成するようにしても良い。この逆止突起は粘着性ヘッドを耳穴から引き出す際に外耳道の皮膚表面を掻き出すように作用する。この逆止突起は、上述した切り込み部とは異なり、例えば松傘の鱗片の部分や水泳等用の耳栓の逆止弁の部分などのように粘着性ヘッドの表面から突出した部分のことである。なお蜂蜜掬いの多層構造の箆を模したものも逆止突起であると言うことが出来る（後述する第４実施形態を参照のこと）。【００１０】  次に、前記持ち手の前記粘着性ヘッドとは反対側の端部に、外耳道を掻くための杓子状部を備えているものとすることが出来る。本願発明の耳穴の手入れ用具はあくまでも粘着性ヘッド部分が主体であって、ヘッドの粘着性で耳垢の大きいものから極く小さなものまで一気に除去するものであるため、従来のように箆で掻き出すこともなければ綿毛で整えることもないわけではあるが、耳穴に痒いところがある場合や連続して使用するのに粘着性ヘッドを水洗いする余裕がないような場合に、この杓子状部を利用することが可能である。
【発明の効果】
【００１１】  この発明によれば、持ち手の先端部分の粘着性ヘッド部分を耳穴に入れて引き出すだけの操作で、ヘッドの粘着力によって大小の耳垢や粉状のものまでを一気に除去することが出来るようになっている。このため耳に傷みを生じたり外耳道を傷つけたりすることがなく安全であると言う効果を奏する。また従来の耳垢を箆で掻き出す作業と綿毛で整える作業とを本発明では一度に効率的に行えるようになると言う効果を奏する。
【発明を実施するための最良の形態】
【００１２】  以下この発明の４種の実施形態に付き図面を参照しつつ説明するが、この発明はこれ等の実施形態にのみ限定されるものではない。すなわちこの発明の思想の範囲内に於いて自由に設計することが出来、これ等もまたこの発明の権利範囲内のものである。【００１３】  第１実施形態
図１はこの発明の第１実施形態の耳穴の手入れ用具を表したものである。持ち手２は紙を棒状に巻いて成るものであり、この先端部分に粘着性ヘッド１が取り付けられている。この粘着性ヘッド１は綿を耳穴に入る大きさに圧縮した綿玉部１０の表面に粘着剤を塗布して粘着剤層１１を形成している。【００１４】  そこで持ち手２を指で摘んで粘着性ヘッド１の部分を耳穴に入れて引き出すようにすると、前記綿玉部１０の表面の粘着剤層１１が大きな耳垢から粉のような耳垢まで一気に除去することが出来て効率的である。このものは使用１回ごとに使い捨てるようにする。【００１５】  第２実施形態
この実施形態の耳穴の手入れ用具は、図２で表されているように、木製の持ち手４の一側の先端部分に粘着性ヘッド３が取り付けられており、他側の先端部分には杓子部４０が削成されている。前記粘着性ヘッド３には、表面に切込溝３１を形成した粘着性シリコン樹脂製のシリコンヘッド部３０を用いている。すなわちこの切込溝３１はシリコンヘッド部３０の表面積を増やすための切り込み部であって、シリコンヘッド部３０の表面から内部に向けてほぼ垂直に設けられている。なお切込溝３１によってシリコンヘッド部３０の壁面を立たせて土筆の胞子体を模した突起を出すように構成しても良い。【００１６】  前記切込溝３１を設けると粘着性ヘッド３の表面積が増加して一度により多くの耳垢を粘着させることが出来る。この粘着性ヘッド３は水洗いにより再利用が可能である。なおこの実施形態には杓子部４０が設けられているが、耳穴に痒いところがある場合や、連続して使用するのに粘着性ヘッド３を水洗いする余裕がないような場合に、この杓子部４０を用いて外耳道を掻くことが出来る。【００１７】  なおシリコンヘッド部３０には図２で示す矢線Ａの位置まで持ち手４の一側の先端部分が挿通されており、ここより先には持ち手４を入れないように構成したため、この先のシリコンヘッド部３０は柔軟性が高いものとなっており、外耳道の形状に良く追従することが出来る。なおここまでの追従性を不要とするのであれば持ち手４の先端部分を例えば矢線Ｂの位置まで挿通するようにして良い。【００１８】  第３実施形態
この実施形態の耳穴の手入れ用具は、図３で表されているように、合成樹脂製の持ち手６の一側の先端部分に粘着性ヘッド５を構成するシリコンヘッド部５０が取り付けられており、他側の先端部分には小型の第２シリコンヘッド部５２が取り付けられている。また前記シリコンヘッド部５０には、特に耳穴をほぼ塞ぐ大きさで、松傘の鱗片を模した形状のヒダ５１（逆止突起である）を、シリコンヘッド部５０の周囲に５層ほど形成している。【００１９】  前記持ち手６を指で摘んでシリコンヘッド部５０を耳穴に入れて引き出すようにすると、シリコンヘッド部５０の粘着性で耳垢の大きいものから極く小さなものまで一気に除去することが出来る。特に前記ヒダ５１はシリコンヘッド部５０を耳穴から引き出す際に外耳道の皮膚表面により良く密着してより効率的に耳垢を粘着しつつ掻き出すように作用する。なお前記第２シリコンヘッド部５２はより小型であるため、外耳道の狙った部位に正確に粘着させることが出来る。【００２０】  第４実施形態
次に図４はこの発明の第４実施形態の耳穴の手入れ用具を表したものである。一端部にリング８０が形成されているシリコン樹脂製の持ち手８の他端部に粘着性ヘッド７を構成するシリコンヘッド部７０を取り付けて成る。シリコンヘッド部７０は円形溝７１が等間隔で連なる形状を呈して言わば逆止突起を形成しており、全体の大きさは耳穴をほぼ塞ぐ程度として成る。【００２１】  上述の第１〜第３実施形態では持ち手は何れもある程度しっかりした腰を有しているが、この第４実施形態の持ち手８はシリコン樹脂製であって柔軟に屈曲し得る性質を有する。そもそも本願発明の耳穴の手入れ用具は持ち手を指で摘んで粘着性ヘッド部分を耳穴に入れて引き出すようにすると、ヘッドの粘着性で耳垢の大きいものから極く小さなものまで一気に効率的に除去出来る点が特長であるため、持ち手はこの第４実施形態のシリコン樹脂製の持ち手８のようであっても良いわけである。なお前記円形溝７１の周辺の構成は、シリコンヘッド部７０を耳穴から引き出す際に外耳道の皮膚表面に密着して、耳垢を粘着しつつ掻き出すように作用する。また円形溝７１の存在によりシリコンヘッド部７０の表面積が増加している。【００２２】  その他の実施形態
なおこの発明の耳穴の手入れ用具は水洗いして再利用することが可能であるから、特に包装する必要はないわけであるが、商品としては個包装にすると便利である。またこの発明の耳穴の手入れ用具を収納する筒とセット販売することなども出来る。この筒と本体とを一体にして粘着性ヘッド部分を使用時のみ外に出し不使用時には筒内に隠すような構成が可能である。なお粘着性ヘッドの大きさに関して大人用と子供用との区別があるようにしても良い。粘着性ヘッドの色などは任意であるが黒色にすると耳垢の視認性が向上する。
【産業上の利用可能性】
【００２３】  この発明の耳穴の手入れ用具は鼻の穴の手入れ用具として構成することが可能である。この場合も水洗いにより再利用し得る。また耳穴の手入れ用具をヒト用ではなくペット用として構成し販売することが出来る。
【図面の簡単な説明】
【００２４】
【図１】  第１実施形態の部分断面図である。
【図２】  第２実施形態の平面図である。
【図３】  第３実施形態の平面図である。
【図４】  第４実施形態の平面図である。
【符号の説明】
【００２５】  １    粘着性ヘッド
１０  綿玉部
１１  粘着剤層
２    持ち手
３    粘着性ヘッド
３０  シリコンヘッド部
３１  切込溝
４    持ち手
４０  杓子部
５    粘着性ヘッド
５０  シリコンヘッド部
５１  ヒダ
５２  第２シリコンヘッド部
６    持ち手
７    粘着性ヘッド
７０  シリコンヘッド部
７１  円形溝
８    持ち手
８０  リング
【図１】
2011036605.tif 000003
【図２】
2011036605.tif 000004
【図３】
2011036605.tif 000005
【図４】
2011036605.tif 000006